(57)【要約】      （修正有）【課題】すべることなく強固に保持するとともに、取り付け及び取り外しを容易に行うことができ電源コード等の電線に引っ張り力が付与した場合であっても、その引張り力の伝達を効率よく取り除き、前記電線と電子機器内部の前記電線が接続している部材の破損や断線が発生するのを抑制する電線保持装置を提供する。【解決手段】筐体に対して着脱可能なケース２と、ケース２の形成される電線挿入孔２３と、電線３が排出される電線排出孔２４と、電線３を正面側に折り返すための電線折り返し部２５と、電線３を巻きまわすための３個の支持軸２６１、２６２、２６３とを有しており、電線３を電線折り返し部２５にて折り返し、第１支持軸２６１の正面側と当接させ、第２支持軸２６２の背面側と当接させて折り返し、第３支持部２６３の正面側に当接させ電線排出孔２４より排出されるように巻き回されている。【選択図】図２
2008078262.tif 000002
【特許請求の範囲】
【請求項１】
筐体に取り付けられ電源コードを保持する保持装置を備えたＴＶ受像機であって、
前記筐体に対して着脱可能な直方体形状を有するケースと、
前記ケースの側部の前面側の端部に張り出しが形成され、前記張り出しの前面より前記電源コードが挿入されるコード挿入孔と、
前記ケースの背面の前記コード挿入孔と同じ側の端部に形成され前記電源コードが排出されるコード排出孔と、
前記コード挿入孔に隣接して配設され、前記電源コードを正面側に折り返すためのコード折り返し部と、
前記電源コードを巻きまわすための３個の支持軸とを有しており、
前記ケースの下面には、背面側から正面側に向かって広がるように形成されている逆止部を備えており、
前記３個の支持軸は前記ケースの正面側に配設された第１支持軸と、前記ケースの背面側に配設された第２支持軸と、前記第１支持軸と前記第２支持軸の略中心に形成され、前記第１支持軸と前記第２支持軸とをつないだ線上から前記コード排出孔側にずれた位置に配設された第３支持軸とを有しており、前記各支持軸はケースの底面に突設された円柱部と、前記円柱部の外周から等中心角度で４個突出し上部から下部に広がる三角形状のリブとを備えており、
前記電源コードは前記コード折り返し部で折り返し、前記第１支持軸の正面側と当接させ、前記第２支持軸の背面側と当接させて折り返し、前記第３支持部の前記コード排出孔と反対側より正面側に当接させ前記コード排出孔より排出されるように巻き回されるように配設され、
前記２個の支持軸は前記第１支持軸と前記第３支持軸及び前記第２支持軸及び前記第３支持軸とが、前記電源コードが各支持軸の前記三角形状のリブに当接するように配設されたことを特徴とするＴＶ受像機。
【請求項２】
電子機器の筐体に取り付けられ電線を保持する保持装置において、
前記筐体に対して着脱可能なケースと、
前記ケースの正面の端部に形成され前記電線が挿入される電線挿入孔と、
前記ケースの背面側に形成され前記電線が排出される電線排出孔と、
前記電線挿入孔に隣接して配設され、前記電線を正面側に折り返すための電線折り返し部と、
前記電線を巻きまわすための３個の支持軸とを有しており、
前記ケースの下面には、背面側から正面側に向かって広がるように形成されている逆止部を備えており、
前記３個の支持軸は前記ケースの正面側に配設された第１支持軸と、前記ケースの背面側に配設された第２支持軸と、前記第１支持軸と前記第２支持軸の略中心に形成され、前記第１支持軸と前記第２支持軸とをつないだ線上から前記電線排出孔側にずれた位置に配設された第３支持軸とを有し、
前記電線を前記電線折り返し部にて折り返し、前記第１支持軸の正面側と当接させ、前記第２支持軸の背面側と当接させて折り返し、前記第３支持部の前記電線排出孔と反対側より正面側に当接させ前記電線排出孔より排出されるように巻き回されていることを特徴とする電線保持装置。
【請求項３】
前記電線は電源コードであることを特徴とする請求項２に記載の電線保持装置。
【請求項４】
前記支持軸のうち少なくともひとつは円柱形状を有し、外周部に等中心角度間隔に複数個突設され、上部から下部にかけて広がる三角形状のリブを備えていることを特徴とする請求項２又は請求項３に記載の電線保持装置。
【請求項５】
前記三角形状のリブは前記支持軸の外周部に等中心角度間隔で４個突設されていることを特徴とする請求項４に記載の電線保持装置。
【発明の詳細な説明】
【技術分野】
【０００１】
本発明は、電子機器に備えられる電力を供給する電力コード等の電線を固定するための電線保持装置に関し、また、この電線電線保持装置を備えたＴＶ受像機に関するものである。
【背景技術】
【０００２】
電子機器には筐体に電源コードのような電線が取り付けられている。電源コードは、電子機器の筐体内の電源装置（図示省略）に外部より電力を供給するものである。図６に従来の電子機器の電源コードの固定構造を示す。
【０００３】
このような電子機器の電源コード９３は電源コード９３の途中に、係止部９１が形成されており、係止部９２を筐体９１の係合部９１１に係合させることで、取付固定されている。このように係止部９２を係合部９１１に係合さてとめることで、筐体の電源コード９３がとりつけられている部材への力の付与を抑制することができる（実用新案登録第３０９１３９４号公報等参照）。
【０００４】
また、特開平９−２６６３８６号公報に記載の発明では、電源コードの一部をケースで折り返すように屈曲させることで、抜け留めするものが示されている。この方法では、電源コードに特殊な加工を施したり、部材を追加することなく、ケースの変更だけで電源コードの固定ができる。
【０００５】
また、特開平７−２１２０５７号公報には、複数本の棒状の摩擦体をマトリクス状に配置し、ケーブルを前記マトリクス状に配置された棒状の摩擦体を縫うように波形に屈曲して係合させ、保持するものが示されている。
【０００６】
【特許文献１】実用新案登録第３０９１３９４号公報
【特許文献２】特開平９−２６６３８６号公報
【特許文献３】特開平７−２１２０５７号公報
【発明の開示】
【発明が解決しようとする課題】
【０００７】
しかしながら、係止部を備えた電源コードを用いる場合、あらかじめ係止部を備えた電源コードを用意しなくてはならず、それだけ、製造に手間と時間がかかり、コストが高くなる。また、電子機器ごとに異なる電源コードを用意しなくてはならず、コストが高くなる。
【０００８】
また、特開平９−２６６３８６号公報に記載の発明のように、電源コードを屈曲させることで抜け留めを行うものの場合、電子機器のメンテナンス等で、電源コードを取り外しにくく、それだけ、手間がかかる。
【０００９】
さらに、特開平７−２１２０５７号公報に記載の発明のように、棒状の摩擦体を用いるものの場合、電子機器のメンテナンス等で、ケーブルを取り外しにくく、それだけ、手間がかかる。
【００１０】
そこで本発明は、電源コード等の電線を、すべることなく強固に保持するとともに、取り付け及び取り外しを容易に行うことができる電線保持装置を提供することを目的とする。
【００１１】
また本発明は、電源コード等の電線に引っ張り力が付与した場合であっても、その引張り力の伝達を効率よく取り除き、前記電線と電子機器内部の前記電線が接続している部材の破損や断線が発生するのを抑制することができる電線保持装置を提供することを目的とする。
【課題を解決するための手段】
【００１２】
上記目的を達成するため本発明は、電子機器の筐体に取り付けられ電線を保持する保持装置において、前記筐体に対して着脱可能なケースと、前記ケースの正面の端部に形成され前記電線が挿入される電線挿入孔と、前記ケースの背面側に形成され前記電線が排出される電線排出孔と、前記電線挿入孔に隣接して配設され、前記電線を正面側に折り返すための電線折り返し部と、前記電線を巻きまわすための３個の支持軸とを有しており、前記ケースの下面には、背面側から正面側に向かって広がるように形成されている逆止部を備えており、前記３個の支持軸は前記ケースの正面側に配設された第１支持軸と、前記ケースの背面側に配設された第２支持軸と、前記第１支持軸と前記第２支持軸の略中心に形成され、前記第１支持軸と前記第２支持軸とをつないだ線上から前記電線排出孔側にずれた位置に配設された第３支持軸とを有し、前記電線を前記電線折り返し部にて折り返し、前記第１支持軸の正面側と当接させ、前記第２支持軸の背面側と当接させて折り返し、前記第３支持部の前記電線排出孔と反対側より正面側に当接させ前記電線排出孔より排出されるように巻き回されていることを特徴とする。
【００１３】
この構成によると、前記電線に引張り力が付勢したばあいであっても、前記筐体内部の前記電線が取り付けられている部材に伝達される引張り力を低減することができる。
【００１４】
このことにより、特殊な加工を施した電線を用いなくても、電線に付勢する引張り力を途中で分断することができ、それだけ、電子機器の動作を安定させることができる。
【００１５】
また、着脱可能であるので、メンテナンス時等の電子機器を分解する場合であっても、電線を傷つけることなく取り外すことができるので、分解、組み立てがやりやすく、それだけ、手間と時間を省くことができ、コストを削減することが可能である。
【００１６】
上記構成において、前記電線として電源コードを挙げることができる。また、前記支持軸のうち少なくともひとつは円柱形状を有し、外周部に等中心角度間隔に複数個突設され、上部から下部にかけて広がる三角形状のリブを備えていることを特徴とするものであってもよい。さらに、前記三角形状のリブは前記支持軸の外周部に等中心角度間隔で４個突設されているものを挙げることができる。
【００１７】
上記構成をさらに詳しく説明すると次のとおりである。すなわち、筐体に取り付けられ電源コードを保持する保持装置を備えたＴＶ受像機であって、前記筐体に対して着脱可能な直方体形状を有するケースと、前記ケースの側部の前面側の端部に張り出しが形成され、前記張り出しの前面より前記電源コードが挿入されるコード挿入孔と、前記ケースの背面の前記コード挿入孔と同じ側の端部に形成され前記電源コードが排出されるコード排出孔と、前記コード挿入孔に隣接して配設され、前記電源コードを正面側に折り返すためのコード折り返し部と、前記電源コードを巻きまわすための３個の支持軸とを有しており、前記ケースの下面には、背面側から正面側に向かって広がるように形成されている逆止部を備えており、前記３個の支持軸は前記ケースの正面側に配設された第１支持軸と、前記ケースの背面側に配設された第２支持軸と、前記第１支持軸と前記第２支持軸の略中心に形成され、前記第１支持軸と前記第２支持軸とをつないだ線上から前記コード排出孔側にずれた位置に配設された第３支持軸とを有しており、前記各支持軸はケースの底面に突設された円柱部と、前記円柱部の外周から等中心角度で４個突出し上部から下部に広がる三角形状のリブとを備えており、前記電源コードは前記コード折り返し部で折り返し、前記第１支持軸の正面側と当接させ、前記第２支持軸の背面側と当接させて折り返し、前記第３支持部の前記コード排出孔と反対側より正面側に当接させ前記コード排出孔より排出されるように巻き回されるように配設され、前記２個の支持軸は前記第１支持軸と前記第３支持軸及び前記第２支持軸及び前記第３支持軸とが、前記電源コードが各支持軸の前記三角形状のリブに当接するように配設されている。
【発明の効果】
【００１８】
本発明によると、電源コード等の電線を、すべることなく強固に保持するとともに、取り付け及び取り外しを容易に行うことができる電線保持装置を提供することができる。
【００１９】
また本発明によると、電源コード等の電線に引っ張り力が付与した場合であっても、その引張り力の伝達を効率よく取り除き、前記電線と電子機器内部の前記電線が接続している部材の破損や断線が発生するのを抑制することができる電線保持装置を提供することができる。
【発明を実施するための最良の形態】
【００２０】
以下に本発明の実施形態を図面を参照して説明する。図１は本発明にかかる電線保持装置の概略斜視図である。なお、本実施の形態においては、本発明に基づく電線保持装置を備える電子機器としてＴＶ受像機を例に説明する。
【００２１】
図１に示すように、ＴＶ受像機は、筐体１を備えている。筐体１はＴＶ受像機にかかる部品等の各種部品を立体的に配置するための外装部材の一部を形成するものであり、それには限定されないが、ここでは、樹脂等で形成されている。また、筐体１には着脱可能に形成された電線保持装置２と、電線保持装置２に取り付けられた電源コード３とが取り付けられている。
【００２２】
図２に本発明にかかる電線保持装置の平断面図を、図３に図２に示す電線保持装置の側断面図を示す。図２に示すように、電線保持装置２は、ケース２１と、ケース２１の側部の前面側から突出した張り出し２２と、張り出し２２の前面に電源コード３を挿入するための電線挿入孔２３と、背面に形成され、電源コード３が排出される電線排出孔２４と、電線挿入孔２３に隣接して取り付けられた電線折り返し部２５と、電源コード３が巻きまわされる３個の支持軸２６とを有している。
【００２３】
ケース２１は略直方体形状を有しており、張り出し２２はケース２１と一体に形成されるものである。ケース２１及び張り出し２２はそれには限定されないが、ここでは、筐体１と同じ材料で形成されており、ここでは、樹脂等で形成されている。図３に示すように、電線保持装置２は正面側から背面側に押し込むことで、筐体１に取り付けられるものである。筐体１には電線保持装置２が挿入される取付部１１が形成されており、取付部１１には下面保持部１１１と上面保持部１１２とを有している。
【００２４】
電線保持装置２は、下面保持部１１１と上面保持部１１２と摺動しつつ取り付けられるものであり、下面２ｕには、背面側から正面側に広がる三角形状の逆止部２７が形成されている。逆止部２７は電線保持装置２を取付部１１に挿入するときに下面保持部１１１に押されて変形し、電線保持装置２が完全に挿入されたときに、下面保持部１１１に形成された係合孔１２に逆止部２７が嵌合され、係合孔１２と係合することで、正面側に摺動するのを規制する。
【００２５】
電線挿入孔２３は、電源コード３にストレスがかかることなく、ケース２１の外部から内部に挿入することができる貫通孔である。また、電線排出孔２４も電線挿入孔２３と同様に電源コード３にストレスがかかることのない貫通孔である。
【００２６】
図２に示すように支持軸２６は、正面側に配置された第１支持軸２６１と、背面側に配置された第２支持軸２６２と、第１支持軸２６１と第２支持軸２６２の間に配置された第３支持軸２６３とが備えられている。第１支持軸２６１、第２支持軸２６２及び第３支持軸２６３は、ケース２１の底面２１１より立設するものである（図３参照）。第１支持軸２６１と第２支持軸２６２とはそれぞれの中心をつないだ線分が、電線保持装置２の摺動方向と平行になるように配置されている。また、第３支持軸２６３は、第１支持軸２６１と第２支持軸２６２の中心をつないだ線分よりも、電線排出孔２４に近い部分に形成されている。
【００２７】
第１支持軸２６１と第３支持軸２６３及び第２支持軸と第３支持軸２６３との間は、電源コード３が互いに接触するように配置されているものである。第１支持軸２６１、第２支持軸２６２及び第３支持軸２６３の外周面には、電源コード３がすべるのを防止するための滑り止めが形成されている。滑り止めとして、ここでは、外周面に溝が形成されているものを挙げることができる。また、これに限定されるものではなく、電源コード３と各支持軸２６１、２６２、２６３とが滑らないもので、特殊な作業や部材を必要としないものを広く採用することが可能である。
【００２８】
図２に示すように、折り返し部２５は背面側に曲面部２５１が形成された三角柱形状であり、曲面部２５１は電源コード３に必要以上のストレスをかけずに、折り返すことができる形状である。第１支持軸２６１の正面側端部は曲面部２５１と略同じか、或いは局面部２５１よりも正面側に形成されているものであり、曲面部２５１で折り返した電源コード３は、第１支持軸２６１の正面側から巻きまわされ、電線挿入孔２３と反対側から（図２中右側）背面側に延びる。電源コード３は真直に背面側に延び、電線挿入孔２３の反対側（図２中右側）より第２支持軸２６２の背面側に巻きまわされ、正面側に延びる。第２支持軸２６２から正面側に延びる電源コード３は、第１支持軸２６１及び第２支持軸２６２が配置されている側（図２中右側）から第３支持軸２６３の正面側に巻きまわされ、折り返して電線排出孔２４より排出されるように配置されている。
【００２９】
このように、３個の支持軸２６１、２６２、２６３に電源コード３を巻きまわすことで、各支持軸２６１、２６２、２６３と電源コード３との摩擦力が作用しており、電源コード３が電線挿入孔２３側及び（又は）電線排出孔２４側に引っ張られても、他方側の電線が引っ張られない。これにより、電源コード３が外部から引っ張られたときに、筐体１の内部の電源コード３が接続された部材に引張り力が付与するのを抑制することができ、電源コード３が外れたり、抜けたりする不具合が発生するのを抑制することができる。
【００３０】
図４に本発明にかかる電線保持装置の他の例の平断面図を、図５に図４に示す電線保持装置の側断面図を示す。図４、５に示す電線保持装置２ａは、３個の支持軸２７１、２７２、２７３が異なる以外、図２、図３に示す電源保持部材２と同じ構成を有しており、実質上同じ部分には同じ符号が付してある。
【００３１】
図４、図５に示すように、第１支持軸２７１、第２支持軸２７２及び第３支持軸２７３には、上部から下部に広がるように形成された三角形状のリブ２８１、２８２、２８３が形成されている。ここでは、便宜上、第１支持軸２７１について説明するが、第２支持軸２７２及び第３支持軸２７３ともに、同様の形状を有しているものである。
【００３２】
図４に示すように、三角形状のリブ２８１は、第１支持軸２７１の外周部より軸方向に一体的に立設するものである。三角形状のリブ２８１は４個備えられるものであり、隣り合う三角形状のリブ２８１同士はそれぞれ等中心角度（９０度）をなすように配置されている。
【００３３】
図４、図５に電線保持装置２ａは、各支持軸２７１、２７２、２７３の三角形状リブ２８１、２８２、２８３と当接するように、巻きまわされている。巻きまわしの形状は図２に示す電線保持装置２と同じである。三角形状リブ２８１、２８３、２８３を形成することで、各支持軸２７１、２７２、２７３の中心からの半径が軸方向に変化するので、製造誤差や異なる規格の電源コードを用いる場合であっても、共通の電線保持装置を利用することができる。
【００３４】
上記各実施例では、電子機器がＴＶ受像機であるものとして説明しているが、それに限定されるものではない。また、電線として電源コード３を例に示しているが、それに限定されるものではなく、信号用電線等の電線に対して広く採用することが可能である。
【００３５】
以上、発明の実施形態を具体的に説明したが、本発明は上記実施形態に限定するものではなく、その要旨を逸脱しない範囲で種々変更可能である。各実施形態に記載した特徴のうち複数を備えていてもよい。
【産業上の利用可能性】
【００３６】
本発明は、引張り力が付与する電線を備えた電子機器に対して適用することができる。
【図面の簡単な説明】
【００３７】
【図１】本発明にかかる電線保持装置の概略斜視図である。
【図２】本発明にかかる電線保持装置の平断面図である。
【図３】図２に示す電線保持装置の側断面図である。
【図４】本発明にかかる電線保持装置の他の例の平断面図である。
【図５】図４に示す電線保持装置の側断面図である。
【図６】従来の電子機器の電源コードの固定構造を示す図である。
【符号の説明】
【００３８】
１  筐体
２、２ａ  電線保持装置
２１  ケース
２２  張り出し
２３  電線挿入孔
２４  電線排出孔
２５  折り返し部
２６  支持軸
２６１  第１支持軸
２６２  第２支持軸
２６３  第３支持軸
２７  逆止部
３  電源コード
【図１】
2008078262.tif 000003
【図２】
2008078262.tif 000004
【図３】
2008078262.tif 000005
【図４】
2008078262.tif 000006
【図５】
2008078262.tif 000007
【図６】
2008078262.tif 000008